(57)【要約】【課題】集塵部の集塵能力が高められる空気清浄機を提供すること。【解決手段】空気清浄機１は、内部に取り入れられた空気に含まれる塵埃を帯電させる荷電部４１と、荷電部４１によって帯電された塵埃を集塵する集塵部４２と、を備え、集塵部４２は、所定の間隔で積層される板状の複数の電極４２１，４２２と、複数の電極４２１，４２２に接続される一対の高電圧供給端子４２６と、を備え、複数の電極４２１，４２２は、予め決められた電圧が印加される複数の高圧電極４２２と、帯電した塵埃を捕集するために接地される複数の捕集電極４２１と、を含み、各捕集電極４２１は、集塵部４２の長手方向の一端側に幅方向に突出して一対の高電圧供給端子４２６の一方に接続される第１突出片４２１ａを有し、各高圧電極４２２は、その長手方向の他端側に幅方向に突出して一対の高電圧供給端子４２６の他方に接続される第２突出片４２２ａを有する。【選択図】図４
2017127818.tif 000002
【特許請求の範囲】
【請求項１】
空気清浄機であって、
内部に取り入れられた空気に含まれる塵埃を帯電させる荷電部と、
前記荷電部によって帯電された塵埃を集塵する集塵部と、を備え、
前記集塵部は、
所定の間隔で積層される板状の複数の電極と、
前記複数の電極に接続される一対の導体と、を備え、
前記複数の電極は、
予め決められた電圧が印加される複数の高圧電極と、
帯電した塵埃を捕集するために接地される複数の捕集電極と、を含み、
前記各捕集電極は、前記集塵部の長手方向の一端側に幅方向に突出して前記一対の導体の一方に接続される第１突出片を有し、
前記各高圧電極は、前記集塵部の長手方向の他端側に幅方向に突出して前記一対の導体の他方に接続される第２突出片を有することを特徴とする空気清浄機。
【請求項２】
前記複数の電極間に配置され、同電極間の距離を保つ複数のスペーサをさらに備え、
前記突出片が、前記電極の幅方向において前記スペーサよりも突出していることを特徴とする請求項１に記載の空気清浄機。
【請求項３】
前記複数の電極のそれぞれにある前記第１突出片と第２突出片は折れ曲がった状態で前記導体に接続されることを特徴とする請求項１又は２に記載の空気清浄機。
【発明の詳細な説明】
【技術分野】
【０００１】
本発明は、電気集塵装置を備えた空気清浄機に関する。
【背景技術】
【０００２】
室内の空気を吸引し、吸引した空気から塵埃を除去する空気清浄機のなかには、電気集塵装置を備えたものがある。電気集塵装置は、塵埃に電荷を与えて帯電させる荷電部と、帯電した塵埃を捕集する集塵部とを備えており、通風抵抗が少ないため低騒音であり、またメンテナンスにより能力を維持し易いという特徴がある。
【０００３】
電気集塵装置の集塵部には、高電圧が印加される板状の高圧電極と、帯電した塵埃を捕集するための接地された板状の集塵電極とが所定の間隔で積層されている。高圧電極には高電圧を印加する導体が接続され、捕集電極には接地された導体が接続されている。高圧電極と捕集電極それぞれに接続される導体は、電気的な短絡を防止するために、導体と異なる極性の電極とは所定の距離だけ離す必要がある。そのため従来では、高圧電極と捕集電極を集塵部の長手方向（通風方向と直交する方向）に所定の距離だけずらして配置し、上下に隣接する異なる極性の電極と対向していない端部領域で導体を接続している（例えば、特許文献１参照）。
【先行技術文献】
【特許文献】
【０００４】
【特許文献１】特開平１１−９０２６５号公報
【発明の概要】
【発明が解決しようとする課題】
【０００５】
しかしながら、特許文献１では、高圧電極と捕集電極を集塵部の長手方向に所定の距離だけずらして配置することにより、高圧電極と捕集電極とが対向せず、塵埃を捕集することができないデッドスペースが生じるため、集塵能力が落ちるという問題がある。また、高圧電極と捕集電極とを長手方向にずらして配置する場合、電極の支持構造が複雑になり、製造コストが上昇するおそれがある。
【０００６】
そこで、本発明は、上記の問題点に鑑みなされたものであって、集塵部のデッドスペースを最小化して集塵能力が高められる空気清浄機の提供を目的とする。
【課題を解決するための手段】
【０００７】
本発明は上記目的を達成するために提案されたものであり、請求項１の発明は、空気清浄機であって、内部に取り入れられた空気に含まれる塵埃を帯電させる荷電部と、前記荷電部によって帯電された塵埃を集塵する集塵部と、を備え、前記集塵部は、所定の間隔で積層される板状の複数の電極と、前記複数の電極に接続される一対の導体と、を備え、前記複数の電極は、予め決められた電圧が印加される複数の高圧電極と、帯電した塵埃を捕集するために接地される複数の捕集電極と、を含み、前記各捕集電極は、前記集塵部の長手方向の一端側に幅方向に突出して前記一対の導体の一方に接続される第１突出片を有し、前記各高圧電極は、前記集塵部の長手方向の他端側に幅方向に突出して前記一対の導体の他方に接続される第２突出片を有することを特徴とする。
【０００８】
請求項２の発明は、請求項１に記載の空気清浄機において、前記複数の電極間に配置され、同電極間の距離を保つ複数のスペーサをさらに備え、前記突出片が、前記電極の幅方向において前記スペーサよりも突出していることを特徴とする。
【０００９】
請求項３の発明は、請求項１または２に記載の空気清浄機において、前記複数の電極のそれぞれにある前記第１突出片と第２突出片は折れ曲がった状態で前記導体に接続されることを特徴とする。
【発明の効果】
【００１０】
本発明によれば、集塵部のデッドスペースを最小化して集塵能力が高められる空気清浄機を提供できる。
【図面の簡単な説明】
【００１１】
【図１】本発明の実施形態に係る空気清浄機の概略構成図である。
【図２】本発明の実施形態に係る電気集塵装置の概略構成図である。
【図３】本発明の実施形態に係る電気集塵装置の集塵部を示す斜視図である。
【図４】本発明の実施形態に係る電気集塵装置の集塵部を示す組立分解図である。
【図５】本発明の実施形態に係る電気集塵装置の集塵部を構成する集塵部捕集電極の斜視図である。
【図６】本発明の実施形態に係る電気集塵装置の集塵部を構成する高電圧供給端子を示す図であり、（ａ）は高電圧供給端子の平面拡大図、（ｂ）は高電圧供給端子の斜視図である。
【図７】本発明の実施形態に係る電気集塵装置の集塵部を構成する電極と高電圧供給端子との接続構造を示すであり、（ａ）は高電圧供給端子を挿入する前の状態を示す集塵部の要部拡大断面図、（ｂ）は高電圧供給端子を挿入した後の状態を示す集塵部の要部拡大断面図である。
【発明を実施するための形態】
【００１２】
以下、本発明に係る好適な実施形態について、図面を参照しながら詳細に説明する。なお、実施形態の説明の全体を通じて同じ要素には同じ符号を付して説明する。
【００１３】
図１は、本発明の実施形態に係る空気清浄機の概略構成図、図２は、本発明の実施形態に係る電気集塵装置の概略構成図である。図１及び図２に示すように、空気清浄機１は、室内の空気を吸引する吸込み口２と、吸引された空気から大きな塵埃を除去するプレフィルタ３と、プレフィルタ３を通過した空気中の塵埃を電気的に集塵する複数の電気集塵装置４と、電気集塵装置４を通過した空気を脱臭処理する脱臭フィルタ５と、脱臭フィルタ５の下流側に配置されるファン６（送風機）と、ファン６を回転させるファンモータ７と、プレフィルタ３と電気集塵装置４と脱臭フィルタ５により清浄された空気を室内に吹き出す吹出し口８と、電気集塵装置４やファンモータ７を制御する制御部９３を有する電源制御基板９と、電気集塵装置４の荷電部４１に電力を供給する荷電部用高圧電源１０と、電気集塵装置４の集塵部４２に電力を供給する集塵部用高圧電源１１と、運転開始操作、運転停止操作、風量設定などを行う操作表示基板１２と、吸込み口２から吸引された空気の塵埃濃度を検出する埃センサ１３と、を備える。荷電部用高圧電源１０は複数の電気集塵装置４の各々が備える荷電部４１、つまり複数の荷電部４１に対し個別に電力を供給するもので、この荷電部用高圧電源１０に電力を供給するものが本発明の電源部９４である。
【００１４】
そして、空気清浄機１は、ファンモータ７により駆動されるファン６の回転により、吸込み口２から室内空気を吸引し、プレフィルタ３、電気集塵装置４、脱臭フィルタ５を通過しながら空気を清浄し、吹出し口８より室内に清浄された空気を吹き出す。
【００１５】
図２に示すように、電気集塵装置４は、荷電部４１と集塵部４２とを備える。荷電部４１は、ワイヤやニードルなど、細く又は鋭利な形状をした荷電部放電電極４１１と、荷電部放電電極４１１と異なる極性をもった平板状の荷電部対向電極４１２とを所定の間隔をあけて交互に配置して構成されている。
【００１６】
集塵部４２は、平板状に形成される複数の電極を備える。複数の電極は、複数の集塵部捕集電極４２１（捕集電極）と、複数の集塵部高圧電極４２２（高圧電極）とが含まれており、これらの電極４２１，４２２を所定の間隔で交互に積層し、複数の集塵部捕集電極４２１と複数の集塵部高圧電極４２２は集塵部用高圧電源１１の異なる極性に電気的に接続された構造である。
【００１７】
荷電部４１の荷電部放電電極４１１と荷電部対向電極４１２は、商用電源１４から電源部９４を介して荷電部用高圧電源１０により高電圧が印加される。荷電部用高圧電源１０は、電源制御基板９に搭載された制御部９３により荷電部スイッチ９１ａ，９１ｂ，９１ｃを介して駆動、制御される。
【００１８】
集塵部４２の集塵部捕集電極４２１と集塵部高圧電極４２２は、商用電源１４から電源部９４を介して集塵部用高圧電源１１により高電圧が印加される。集塵部用高圧電源１１は、電源制御基板９に搭載された制御部９３により集塵部スイッチ９２を介して駆動、制御される。
【００１９】
つぎに、電気集塵装置４内における塵埃の捕集作用について説明する。
【００２０】
荷電部４１の荷電部放電電極４１１に正極の高電圧を印加し、荷電部対向電極４１２を荷電部用高圧電源１０の接地極に接続すると、コロナ放電が起こり、この電極間には、電子と空気分子が正に帯電したイオンが満たされる。このうち電子は、荷電部放電電極４１１に到達し、荷電部用高圧電源１０に向かって流れる。このときの荷電部４１全体での電流を０．０２５ｍＡとすると、電極間にはこの電流値に対応したイオンが満たされる。また、電流が０．０２５ｍＡとなるようにコロナ放電を安定に起こす電圧が５ｋＶを下回るように、荷電部放電電極４１１の形状、例えばワイヤ形状の場合に、線径を０．１ｍｍにするなど、設定することが可能である。
【００２１】
この正イオンで満たされた空間を塵埃が通過する際、その通過時間と荷電部放電電極４１１と荷電部対向電極４１２とで作られる電界の強さに応じて、イオンと塵埃の衝突による電荷の移動が起こり、塵埃に正の電荷が帯電する。
【００２２】
一方、集塵部４２の集塵部高圧電極４２２には予め決められた電圧、例えば５ｋＶを印加し、集塵部捕集電極４２１を集塵部用高圧電源１１の接地極に接続すると、両電極の間隔が２ｍｍであれば、２５ｋＶ／ｃｍの静電界が形成される。荷電部４１で正に帯電した塵埃は、集塵部４２に移動すると、静電界により塵埃と反対極性の集塵部捕集電極４２１に吸引される方向に力を受ける。
【００２３】
空気中を浮遊する塵埃は、空気抵抗により直ちに終端速度に到達し、流れ方向と集塵部捕集電極４２１方向の速度成分を持った等速運動となる。集塵部捕集電極４２１方向の速度成分は、塵埃の電荷量と電界強度に比例し、流れ方向の速度と集塵部４２の奥行で定まる集塵部４２の通過時間内に、集塵部捕集電極４２１に到達した塵埃が捕集される。空気中を浮遊する塵埃は十分に小さく、拡散の影響を受けるので、集塵部捕集電極４２１から遠ざかる方向に動くものもあり、集塵部４２を通過している間にすべての塵埃が捕集されるわけではないが、捕集されずに集塵部４２を通過する塵埃の量は時間の経過にともない指数関数的に減少していく。
【００２４】
ここで、捕集率を高める方法のひとつは、塵埃の電荷量を高めることであり、荷電部４１内のイオンの数を増やすことである。安定した集塵能力を得るため、荷電部用高圧電源１０には、荷電部放電電極４１１に印加する正極の電圧を一定に保つ特性が求められる。
【００２５】
捕集率を高める別の方法は、集塵部４２の電界の強度を上げることであり、異常放電を起こさない範囲で極力高く、集塵部高圧電極４２２と集塵部捕集電極４２１との間の電位差を保つため、集塵部用高圧電源１１には、出力電圧を一定に保つ特性が求められる。また、家庭用空気清浄機で処理する空気の塵埃濃度は、例えば０．１ｍｇ／ｍ３と低いので、集塵部４２で捕集される塵埃の電荷量により流れる電流は小さく、集塵部用高圧電源１１の電流容量は例えば０．０１ｍＡのように小さくてよい。
【００２６】
つぎに、図３〜図７を用いて、本実施形態の集塵部構造を説明するが、まず、図３、図４及び図５を用いて、集塵部４２の電極積層構造を説明する。
【００２７】
図３は、本発明の実施形態に係る電気集塵装置４の集塵部４２を示す斜視図、図４は、本発明の実施形態に係る電気集塵装置４の集塵部４２を示す組立分解図、図５は、本発明の実施形態に係る電気集塵装置４の集塵部４２を構成する集塵部捕集電極４２１の斜視図である。図３〜図５に示すように、集塵部４２は、前述した集塵部捕集電極４２１及び集塵部高圧電極４２２の他に、集塵部ケース４２３、集塵部カバー４２４、セパレータ４２５、高電圧供給端子４２６（導体）、スペーサ４２７などを備える。
【００２８】
集塵部ケース４２３には、図５に示す平板状の集塵部捕集電極４２１を上方の開口から挿入して、位置決めするように、長手方向の両端部に図４に示す、集塵部ケース４２３の上下方向に渡ってＬ字型に開口されたガイド部４２３ａが立設されている。集塵部４２の組み立てに際しては、まず、ガイド部４２３ａに合わせて１枚の集塵部捕集電極４２１を挿入し、集塵部ケース４２３の底部に配置する。
【００２９】
集塵部捕集電極４２１は、板状の長方形であり、集塵部４２の長手方向の一端側（図４の左右方向の左側）に幅方向に突出する第１突出片４２１ａを有し、本実施形態では、第１突出片４２１ａが集塵部捕集電極４２１の長方形の領域より風上側に突出している。
【００３０】
なお、図４では、第１突出片４２１ａの先端部が下方に９０°に折り曲げられているが、これは組み立て後の折り曲げられた状態を示しており、集塵部ケース４２３への挿入時には折れ曲がっていない。また、集塵部ケース４２３に複数枚挿入される集塵部捕集電極４２１のうち、最初に挿入される集塵部捕集電極４２１の第１突出片４２１ａは、組み立て終了後も先端部が折れ曲がらない。
【００３１】
つぎに、ガイド部４２３ａで位置決めされ板状のＬ字型の絶縁体からなる２つのスペーサ４２７を各ガイド部４２３ａにそれぞれ挿入し、集塵部捕集電極４２１の長手方向の両端部上に配置する。スペーサ４２７はガイド部４２３ａで位置決めされる。集塵部捕集電極４２１の幅方向と平行になるスペーサ４２７の長辺は、集塵部捕集電極４２１の長方形の領域の幅寸法より長く、第１突出片４２１ａを含めた長さより短い形状に形成されている。したがって、集塵部ケース４２３を開口方向（上方）から見たとき、集塵部捕集電極４２１の第１突出片４２１ａの先端部は、スペーサ４２７によって隠されることなく、露出した状態となる。
【００３２】
続いて、ガイド部４２３ａに合わせて１枚の集塵部高圧電極４２２を挿入し、その長手方向両端部をスペーサ４２７の上に重ねる。集塵部高圧電極４２２は、集塵部捕集電極４２１と同様に、板状の長方形であり、幅方向に突出する第２突出片４２２ａを有するが、集塵部高圧電極４２２の第２突出片４２２ａは、集塵部捕集電極４２１の第１突出片４２１ａとは反対に、集塵部４２の長手方向の他端側（図４の左右方向の右側）で風上側に突出するように形成されている。
【００３３】
なお、図４では、第２突出片４２２ａの先端部が下方に９０°に折り曲げられているが、これは組み立て後の折り曲げられた状態を示しており、集塵部ケース４２３への挿入時には折れ曲がっていない。
【００３４】
続いて、２個のスペーサ４２７、１枚の集塵部捕集電極４２１、２個のスペーサ４２７、１枚の集塵部高圧電極４２２、２個のスペーサ４２７・・・という順序で集塵部ケース４２３に順次挿入して積層し、最後に集塵部捕集電極４２１を挿入した後、集塵部カバー４２４を乗せてガイド部４２３ａの上端面に固定する。
【００３５】
つぎに、図３〜図７を用いて、集塵部４２を構成する電極４２１，４２２と高電圧供給端子４２６との接続構造を説明する。
【００３６】
図３及び図４に示すように、集塵部カバー４２４は、集塵部ケース４２３のガイド部４２３ａの内面とスペーサ４２７の前端の間にある隙間の上方を開口する２つの切欠き４２４ａを有する。この２つの切欠き４２４ａは、集塵部ケース４２３へ集塵部カバー４２４を固定した後、一対の高電圧供給端子４２６を挿入するための挿入口を形成する。
【００３７】
図６は、本発明の実施形態に係る電気集塵装置４の集塵部４２を構成する高電圧供給端子４２６を示す図であり、（ａ）は高電圧供給端子４２６の上面図、（ｂ）は高電圧供給端子の斜視図である。図６に示すように、高電圧供給端子４２６は、断面がＣ字型になるように板金を曲げて形成した長尺状の導体であり、Ｃの字の開いている方向を集塵部４２の長手方向に向けて集塵部カバー４２４の２つの切欠き４２４ａに上方から挿入される。バネ性を持つ高電圧供給端子４２６の奥行方向の長さは、ガイド部４２３ａの内面の前端とスペーサ４２７の前端との間にある隙間の奥行方向の長さより僅かに長く形成されているので、圧縮変形させながら挿入される。また、高電圧供給端子４２６は、導電性のよい、例えば金属で形成され、挿入方向である軸上には、高い剛性を持つ。この左右２つの高電圧供給端子４２６がそれぞれ集塵部捕集電極４２１と集塵部高圧電極４２２に接続されるため、集塵部捕集電極４２１は接地され、集塵部高圧電極４２２は高電圧が印加される。
【００３８】
図７は、本発明の実施形態に係る電気集塵装置４の集塵部４２を構成する集塵部捕集電極４２１と集塵部高圧電極４２２と高電圧供給端子４２６との接続構造を示す図であり、（ａ）は高電圧供給端子４２６を挿入する前の状態を示す集塵部４２の要部拡大断面図、（ｂ）は高電圧供給端子４２６を挿入した後の状態を示す集塵部４２の要部拡大断面図である。図７に示すように、集塵部捕集電極４２１と集塵部高圧電極４２２は、薄いシート状であり、樹脂などの可撓性を持った材料で形成されるので、高電圧供給端子４２６の挿入により、それぞれの第１突出片４２１ａ，第２突出片４２２ａの先端部は、スペーサ４２７の前端位置を支点として下方に折れ曲がる。
【００３９】
高電圧供給端子４２６は、Ｃの字に曲げられた板金が開こうとする力により、圧縮に反発して広がる弾性復元力が発生し、ガイド部４２３ａの内面と第１突出片４２１ａ，または第２突出片４２２ａを集塵部４２の幅方向に押し付ける。その結果、集塵部捕集電極４２１と集塵部高圧電極４２２に対して、電気的に接続される。
【００４０】
図７に示すように、スペーサ４２７は、第１突出片４２１ａ，第２突出片４２２ａの折り曲げの支点となる前端の上端角部にアール部４２７ａ（湾曲面部）を有することが望ましい。このようなアール部４２７ａによれば、高電圧供給端子４２６の挿入に応じて、第１突出片４２１ａ，第２突出片４２２ａの先端部が、スペーサ４２７の前端位置を支点として下方に折れ曲がる際、第１突出片４２１ａ，第２突出片４２２ａの折れ曲がり部に作用する荷重を分散できるので、第１突出片４２１ａ，第２突出片４２２ａの折れ曲がり部の損傷などを抑制することができる。
【００４１】
集塵部捕集電極４２１と集塵部高圧電極４２２は、いずれも薄く、可撓性があるので、集塵部捕集電極４２１と集塵部高圧電極４２２の間に高電界が発生したときに、クーロン力により集塵部捕集電極４２１と集塵部高圧電極４２２が互いに近づく方向に変形し、集塵部捕集電極４２１と集塵部高圧電極４２２の間の高電界が一部大きくなる。しかしながら、集塵部４２は、良好な集塵能力を発揮するために、均一な平等電界を形成する必要があるので、両電極４２１，４２２の変形を防ぐために、櫛歯状のセパレータ４２５の歯部分を集塵部捕集電極４２１と集塵部高圧電極４２２の間に配置している。本実施形態の集塵部４２では、電極４２１，４２２の長手方向に所定の間隔をあけて、電極４２１，４２２の厚さ方向に沿う３枚のセパレータ４２５を両電極４２１，４２２間に挿入している。
【００４２】
集塵部４２は、集塵部捕集電極４２１及び集塵部高圧電極４２２の第１突出片４２１ａ，第２突出片４２２ａを風上側に向けて、その風上側に荷電部４１を配置することで、電気集塵装置４が構成される。集塵部捕集電極４２１と集塵部高圧電極４２２との積層にあたって、積層方向にそれぞれ対向する部分、すなわち長方形の部分が集塵に寄与する電界を形成する領域になり、それぞれの第１突出片４２１ａ，第２突出片４２２ａは、電界形成に寄与しない。
【００４３】
それぞれの電極４２１，４２２は、樹脂などの高抵抗の材料からなるか、又は電源との間に高抵抗を挿入されているので、電極４２１，４２２間は放電電流が抑制され、空間距離を小さくすることができる。しかしながら、高電圧供給端子４２６のそれぞれは、接続されていない異なる極性の電極４２１，４２２との間に、放電が起きないだけの空間距離を必要とする。両電極４２１，４２２間の電位差が５ｋＶのときには、空間距離は少なくとも５ｍｍが必要である。さらに、電極４２１，４２２の表面の汚れや湿度により電極４２１，４２２の抵抗値が減少したときや、温湿度環境により空気の絶縁が変化したときを考慮すると、空間距離は１０ｍｍ確保することが望ましい。
【００４４】
本実施形態では、図７に示すように、それぞれの電極４２１，４２２の第１突出片４２１ａ，第２突出片４２２ａの突出長さＬ１を１３ｍｍとし、電極４２１，４２２の長方形の部分、つまり電界が形成される領域の前端からスペーサ４２７の突出長さＬ２を１０ｍｍとしている。これにより、高電圧供給端子４２６により折り曲げられる位置は、第１突出片４２１ａ，第２突出片４２２ａの先端から３ｍｍの長さＬ３となり、電気的な接触は、３ｍｍの長さにわたって行われる。そして、電極４２１，４２２の端と異なる極性の高電圧供給端子４２６との絶縁距離Ｌ４が１０ｍｍ確保される。
【００４５】
また、第１突出片４２１ａと第２吐出片の間にできた空間は、荷電部４１で生成した空気イオンと除去対象である塵埃と接触する場となり、塵埃の帯電量を増加させ、集塵能力の向上に寄与することができる。荷電部４１と集塵部４２の間に通常設けられる空間に、この部分を割り当てることで、電気集塵装置４全体の大型化を抑制できる。
【００４６】
以上に述べた本実施形態の空気清浄機１によれば、各集塵部高圧電極４２２が、集塵部４２の長手方向の一端側に幅方向へ突出して一方の高電圧供給端子４２６に接続される第２突出片４２２ａを有し、各集塵部捕集電極４２１が、集塵部４２の長手方向の他端側に幅方向へ突出して他方の高電圧供給端子４２６に接続される第１突出片４２１ａを有するので、従来のように集塵部高圧電極４２２と集塵部捕集電極４２１とを長手方向にずらして配置しなくても、高電圧供給端子４２６と異なる極性の電極４２１，４２２との間に所定の距離を確保することができ、その結果、集塵部４２のデッドスペースを最小化して集塵能力が高められる。
【００４７】
また、このような集塵部４２によれば、集塵部高圧電極４２２と集塵部捕集電極４２１とを長手方向にずらして配置する場合に比べ、電極４２１，４２２の支持構造が簡略化されるので、製造コストを削減することが可能になる。
【００４８】
また、集塵部４２は、複数の電極４２１，４２２間に配置され、該電極４２１，４２２間の距離を保つ複数のスペーサ４２７をさらに備え、第１突出片４２１ａ，第２突出片４２２ａが、集塵に寄与しないスペーサ４２７の風上側に配置されるので、スペーサ４２７の風上空間を利用して高電圧供給端子４２６のそれぞれと異なる極性の電極４２１，４２２との間に所定の距離を確保できると共に、高電圧供給端子４２６が集塵の妨げにならない。
【００４９】
また、荷電部４１と集塵部４２との間には、第１突出片４２１ａ，第２突出片４２２ａ及び高電圧供給端子４２６を配置するための空間が生じるが、この空間は、荷電部４１で生成した空気イオンと除去対象である塵埃と接触する場となるので、塵埃の帯電量を増加させ、集塵能力の向上に寄与することができる。
【００５０】
また、高電圧供給端子４２６は、集塵部４２に電極４２１，４２２の積層方向に沿って挿入可能な長尺状に形成され、集塵部４２への挿入時に第１突出片４２１ａ，第２突出片４２２ａと接触し、第１突出片４２１ａ，第２突出片４２２ａの一部が、挿入される高電圧供給端子４２６との接触により、スペーサ４２７を支点として折り曲げられた状態で高電圧供給端子４２６に接続されるので、あらかじめ第１突出片４２１ａ，第２突出片４２２ａの一部を折り曲げ加工する場合に比べ、折り曲げ加工を不要にして製造コストを低減できる。
【００５１】
以上、本発明の好ましい実施形態について詳述したが、本発明は上述した実施形態に限定されるものではなく、特許請求の範囲に記載された本発明の要旨の範囲内において、種々の変形、変更が可能である。
【符号の説明】
【００５２】
１…空気清浄機、１０…荷電部用高圧電源、１１…集塵部用高圧電源、１２…操作表示基板、１３…埃センサ、１４…商用電源、２…吸込み口、３…プレフィルタ、４…電気集塵装置、４１…荷電部、４１１…荷電部放電電極、４１２…荷電部対向電極、４２…集塵部、４２１…集塵部捕集電極、４２１ａ…第１突出片、４２２…集塵部高圧電極、４２２ａ…第２突出片、４２３…集塵部ケース、４２３ａ…ガイド部、４２４…集塵部カバー、４２４ａ…切欠き、４２５…セパレータ、４２６…高電圧供給端子、４２７…スペーサ、４２７ａ…アール部、５…脱臭フィルタ、６…ファン、７…ファンモータ、８…吹出し口、９…電源制御基板、９１ａ〜９１ｃ…荷電部スイッチ、９２…集塵部スイッチ
【図１】
2017127818.tif 000003
【図２】
2017127818.tif 000004
【図３】
2017127818.tif 000005
【図４】
2017127818.tif 000006
【図５】
2017127818.tif 000007
【図６】
2017127818.tif 000008
【図７】
2017127818.tif 000009